【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）において、発展型マルチメディアブロードキャストマルチキャストサービス（ｅＭＢＭＳ）ブロードキャストサービスおよびユニキャスト上で利用可能である、関心のあるサービスの受信の継続性を維持する方法において、
前記ｅＭＢＭＳブロードキャストサービスをサポートする第１のマルチキャストブロードキャスト単一周波数ネットワーク（ＭＢＳＦＮ）エリア内のネットワークからｅＭＢＭＳ上の前記関心のあるサービスを受信することと；
前記ネットワークから少なくとも１つのＭＢＳＦＮ閾値を受信することと；
前記ネットワークから少なくとも１つのＭＢＳＦＮ測定値を受信することと；
前記少なくとも１つのＭＢＳＦＮ閾値と前記少なくとも１つのＭＢＳＦＮ測定値とに基づいて、第１のＭＢＳＦＮエリアからの前記ｅＭＢＭＳブロードキャストの受信から、ユニキャストを介する受信または、前記ｅＭＢＭＳブロードキャストサービスをサポートする第２のＭＢＳＦＮエリアを介する受信の一方にスイッチすることと
を備える方法。
【請求項２】
前記少なくとも１つのＭＢＳＦＮ閾値は、
ＭＢＳＦＮ受信機信号受信電力（ＭＢＳＦＮ  ＲＳＲＰ）閾値、ＭＢＳＦＮ参照信号受信品質（ＭＢＳＦＮ  ＲＳＲＱ）閾値、ＭＢＳＦＮ  信号対干渉プラス雑音比（ＭＢＳＦＮ  ＳＩＮＲ）閾値、およびＭＢＭＳのマルチキャストチャネルブロック誤り率（ＭＣＨ  ＢＬＥＲ）閾値の１つまたは複数を備え；
前記少なくとも１つのＭＢＳＦＮ測定値は、ＭＢＳＦＮ  ＲＳＲＰ測定値、ＭＢＳＦＮ  ＲＳＲＱ測定値、ＭＢＳＦＮ  ＳＩＮＲ測定値、およびＭＣＨ  ＢＬＥＲ測定値の１つまたは複数を備える、請求項１に記載の方法。
【請求項３】
前記少なくとも１つのＭＢＳＦＮ閾値はスイッチング準備閾値を備えるとともに、前記第１のＭＢＳＦＮエリアからの前記ｅＭＢＭＳブロードキャストの受信からスイッチすることは、前記少なくとも１つのＭＢＳＦＮ測定値が前記スイッチング準備閾値を満たし、前記ＵＥがＲＲＣ  ＩＤＬＥ状態にあるときに、ＲＲＣ  ＣＯＮＮＥＣＴＥＤ状態にスイッチすることを備える、請求項１に記載の方法。
【請求項４】
前記少なくとも１つのＭＢＳＦＮ閾値はスイッチング開始閾値をさらに備えるとともに、前記第１のＭＢＳＦＮエリアからの前記ｅＭＢＭＳブロードキャストの受信からスイッチすることは、前記少なくとも１つのＭＢＳＦＮ測定値が前記スイッチング開始閾値を満たすときに、前記ネットワークのネットワーク要素から、ユニキャストチャネル上で前記関心のあるサービスの配信を要求して、それによってユニキャストを介する受信にスイッチすることをさらに備える、請求項３に記載の方法。
【請求項５】
前記ネットワーク要素はアプリケーションサーバを備えるとともに、要求することは、前記アプリケーションサーバに指示を送ることを備える、請求項４に記載の方法。
【請求項６】
前記ネットワーク要素はＢＭ−ＳＣを備えるとともに、要求することは、前記関心のあるサービスに対応する一時的モバイルグループ識別（ＴＭＧＩ）のＵＲＬに接続することを備える、請求項４に記載の方法。
【請求項７】
前記ネットワーク要素はＭＢＭＳ−ＧＷを備えるとともに、要求することは、ＩＰマルチキャスト加入メッセージを前記ＭＢＭＳ−ＧＷに送ることを備える、請求項４に記載の方法。
【請求項８】
前記ＵＥがこの目的のための適当なＥＰＳベアラを有さない場合には、前記ｅＭＢＭＳブロードキャストサービスの送信のための専用ＥＰＳベアラを起動することをさらに備える、請求項７に記載の方法。
【請求項９】
前記ネットワークから、ＭＢＭＳ−ＧＷマルチキャストアドレスと、ＴＭＧＩの、関係する、汎用パケット無線サービス（ＧＰＲＳ）トンネリングプロトコル（ＧＴＰ）パラメータを受信することをさらに備える、請求項７に記載の方法。
【請求項１０】
前記第１のＭＢＳＦＮエリアからの前記ｅＭＢＭＳブロードキャストの受信からスイッチすることは、
前記ｅＭＢＭＳブロードキャストサービスをサポートする前記第２のＭＦＳＦＮエリア内のネットワークから、前記ＵＥにおける十分なｅＭＢＭＳカバレージを検出することと；
ユニキャストから、前記ｅＭＢＭＳブロードキャストサービスをサポートする前記第２のＭＢＳＦＮエリアを介するブロードキャスト受信にスイッチすることと
をさらに備える、請求項４に記載の方法。
【請求項１１】
前記第１のＭＢＳＦＮエリアからの前記ｅＭＢＭＳブロードキャストの受信からスイッチすることは、
前記第１のＭＢＳＦＮエリア内のサービングｅＮＢに、前記関心のあるサービスに対応するＴＭＧＩを含むＭＢＭＳ関心指示（ＭＩＩ）と、前記関心のあるサービスに対応するサービスエリア識別子（ＳＡＩ）リストの少なくとも一方を送ること
ここにおいて、前記ＵＥは、前記ＭＩＩと前記ＳＡＩリストの少なくとも一方に基づいて、前記ｅＭＢＭＳブロードキャストサービスをサポートするセルにハンドオーバされる、
をさらに備える、請求項３に記載の方法。
【請求項１２】
先行する請求項１−１１のいずれかに従って方法を実行するために適応しているユーザ機器（ＵＥ）。
【請求項１３】
ユーザ機器（ＵＥ）において、発展型マルチメディアブロードキャストマルチキャストサービス（ｅＭＢＭＳ）ブロードキャストサービスおよびユニキャスト上で利用可能である、関心のあるサービスの受信の継続性を維持する方法において、
前記ｅＭＢＭＳブロードキャストサービスをサポートする第１のマルチキャストブロードキャスト単一周波数ネットワーク（ＭＢＳＦＮ）エリア内のネットワークの第１の基地局における前記ＵＥから、少なくとも１つのパラメータを受信することと；
前記少なくとも１つのパラメータに基づいて、前記ＵＥが、前記第１のＭＢＳＦＮエリアからの前記ｅＭＢＭＳブロードキャストの受信から、ユニキャストを介する受信にスイッチすべきかどうかを決定することと；
ユニキャストを介する受信にスイッチするように前記ＵＥに指示することと
を備える方法。
【請求項１４】
ユニキャストチャネル上で、前記関心のあるサービスに対応するコンテンツを送信することと、および/または、
前記少なくとも１つのパラメータを送るように、前記ＵＥをトリガーする信号を送ることと、および/または、
前記信号を送る前に、前記ＵＥが接続状態にあることを検出することと、および/または、
前記少なくとも１つのパラメータを受信する前に、前記接続状態に入るように前記ＵＥをトリガーすることと、
をさらに備える、請求項１３に記載の方法。
【請求項１５】
先行する請求項１３−１４のいずれかに従って方法を実行するために適応している装置。
【手続補正２】
【補正対象書類名】明細書
【補正対象項目名】０１２４
【補正方法】変更
【補正の内容】
【０１２４】
[00158]以上の説明は、当業者が本明細書で説明した様々な態様を実施することができるように提供される。これらの態様に対する様々な変更は当業者には容易に明らかであり、本明細書で定義した一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。本明細書で「例示的」として説明されるいかなる態様も、必ずしも他の態様よりも好適または有利なものと解釈されるべきではない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」ならびに「Ａ、Ｂ、Ｃ、またはそれらの任意の組合せ」などの組合せは、Ａ、Ｂ、および／またはＣのどんな組合せをも含み、複数のＡ、複数のＢ、または複数のＣを含み得る。特に、「Ａ、Ｂ、またはＣのうちの少なくとも１つ」、「Ａ、Ｂ、およびＣのうちの少なくとも１つ」ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣの１つまたは複数のメンバを含んでいることがある。当業者に知られているかまたは後で知られることになる、本開示全体にわたって説明した様々な態様の要素に対するすべての構造的および機能的均等物は、参照により本明細書に明確に組み込まれ、特許請求の範囲によって包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）において、発展型マルチメディアブロードキャストマルチキャストサービス（ｅＭＢＭＳ）ブロードキャストサービスおよびユニキャスト上で利用可能である、関心のあるサービスの受信の継続性を維持する方法において、
前記ｅＭＢＭＳブロードキャストサービスをサポートする第１のマルチキャストブロードキャスト単一周波数ネットワーク（ＭＢＳＦＮ）エリア内のネットワークからｅＭＢＭＳ上の前記関心のあるサービスを受信することと；
前記ネットワークから少なくとも１つのＭＢＳＦＮ閾値を受信することと；
前記ネットワークから少なくとも１つのＭＢＳＦＮ測定値を受信することと；
前記少なくとも１つのＭＢＳＦＮ閾値と前記少なくとも１つのＭＢＳＦＮ測定値とに基づいて、第１のＭＢＳＦＮエリアからのｅＭＢＭＳブロードキャストの受信から、ユニキャストを介する受信または、ｅＭＢＭＳブロードキャストサービスをサポートする第２のＭＢＳＦＮエリアを介する受信の一方にスイッチすることと
を備える方法。
［Ｃ２］
前記少なくとも１つのＭＢＳＦＮ閾値は、
ＭＢＳＦＮ受信機信号受信電力（ＭＢＳＦＮ  ＲＳＲＰ）閾値、ＭＢＳＦＮ参照信号受信品質（ＭＢＳＦＮ  ＲＳＲＱ）閾値、ＭＢＳＦＮ  信号対干渉プラス雑音比（ＭＢＳＦＮ  ＳＩＮＲ）閾値、およびＭＢＭＳのマルチキャストチャネル（ＭＣＨ）ブロック誤り率（ＭＣＨ  ＢＬＥＲ）閾値の１つまたは複数を備え；
前記少なくとも１つのＭＢＳＦＮ測定値は、ＭＢＳＦＮ  ＲＳＲＰ測定値、ＭＢＳＦＮ  ＲＳＲＱ測定値、ＭＢＳＦＮ  ＳＩＮＲ測定値、およびＭＣＨ  ＢＬＥＲ測定値の１つまたは複数を備える、Ｃ１に記載の方法。
［Ｃ３］
前記少なくとも１つのＭＢＳＦＮ閾値はスイッチング準備閾値を備えるとともに、前記第１のＭＢＳＦＮエリアからの前記ｅＭＢＭＳブロードキャストの受信からスイッチすることは、前記少なくとも１つのＭＢＳＦＮ測定値がスイッチング準備閾値を満たし、前記ＵＥがＲＲＣ  ＩＤＬＥ状態にあるときに、ＲＲＣ  ＣＯＮＮＥＣＴＥＤ状態にスイッチすることを備える、Ｃ１に記載の方法。
［Ｃ４］
前記少なくとも１つのＭＢＳＦＮ閾値はスイッチング開始閾値をさらに備えるとともに、前記第１のＭＢＳＦＮエリアからの前記ｅＭＢＭＳブロードキャストの受信からスイッチすることは、前記少なくとも１つのＭＢＳＦＮ測定値がスイッチング開始閾値を満たすときに、前記ネットワークのネットワーク要素から、ユニキャストチャネル上で前記関心のあるサービスの配信を要求して、それによってユニキャストを介する受信にスイッチすることをさらに備える、Ｃ３に記載の方法。
［Ｃ５］
前記ネットワーク要素はアプリケーションサーバを備えるとともに、要求することは、前記アプリケーションサーバに指示を送ることを備える、Ｃ４に記載の方法。
［Ｃ６］
前記ネットワーク要素はＢＭ−ＳＣを備えるとともに、要求することは、前記関心のあるサービスに対応する一時的モバイルグループ識別（ＴＭＧＩ）のＵＲＬに接続することを備える、Ｃ４に記載の方法。
［Ｃ７］
前記ネットワーク要素はＭＢＭＳ−ＧＷを備えるとともに、要求することは、ＩＰマルチキャスト加入メッセージをＭＢＭＳ−ＧＷに送ることを備える、Ｃ４に記載の方法。
［Ｃ８］
前記ＵＥがこの目的のための適当なＥＰＳベアラを有さない場合には、前記ｅＭＢＭＳブロードキャストサービスの送信のための専用ＥＰＳベアラを起動することをさらに備える、Ｃ７に記載の方法。
［Ｃ９］
前記ネットワークから、ＭＢＭＳ−ＧＷマルチキャストアドレスと、ＴＭＧＩの、関係する、汎用パケット無線サービス（ＧＰＲＳ）トンネリングプロトコル（ＧＴＰ）パラメータを受信することをさらに備える、Ｃ７に記載の方法。
［Ｃ１０］
前記第１のＭＢＳＦＮエリアからの前記ｅＭＢＭＳブロードキャストの受信からスイッチすることは、
前記ｅＭＢＭＳブロードキャストサービスをサポートする前記第２のＭＦＳＦＮエリア内のネットワークから、前記ＵＥにおける十分なｅＭＢＭＳカバレージを検出することと；
ユニキャストから、前記ｅＭＢＭＳブロードキャストサービスをサポートする前記第２のＭＢＳＦＮエリアを介するブロードキャスト受信へスイッチすることと
をさらに備える、Ｃ４に記載の方法。
［Ｃ１１］
前記第１のＭＢＳＦＮエリアからの前記ｅＭＢＭＳブロードキャストの受信からスイッチすることは、
第１のＭＢＳＦＮエリア内のサービングｅＮＢへ、前記関心のあるサービスに対応するＴＭＧＩを含むＭＢＭＳ関心指示（ＭＩＩ）と、前記関心のあるサービスに対応するサービスエリア識別子（ＳＡＩ）リストの少なくとも一方を送ること
ここにおいて、前記ＵＥは、前記ＭＩＩと前記ＳＡＩリストの少なくとも一方に基づいて、前記ｅＭＢＭＳブロードキャストサービスをサポートするセルにハンドオーバされる、
をさらに備える、Ｃ３に記載の方法。
［Ｃ１２］
発展型マルチメディアブロードキャストマルチキャストサービス（ｅＭＢＭＳ）ブロードキャストサービスおよびユニキャスト上で利用可能である、関心のあるサービスの受信の継続性を維持するためのユーザ機器（ＵＥ）において、前記方法は、
前記ｅＭＢＭＳブロードキャストサービスをサポートする第１のマルチキャストブロードキャスト単一周波数ネットワーク（ＭＢＳＦＮ）エリア内のネットワークからｅＭＢＭＳ上の前記関心のあるサービスを受信するための手段と；
前記ネットワークから少なくとも１つのＭＢＳＦＮ閾値を受信するための手段と；
前記ネットワークから少なくとも１つのＭＢＳＦＮ測定値を受信するための手段と；
前記少なくとも１つのＭＢＳＦＮ閾値と前記少なくとも１つのＭＢＳＦＮ測定値とに基づいて、前記第１のＭＢＳＦＮエリアからの前記ｅＭＢＭＳブロードキャストの受信から、ユニキャストを介する受信または、前記ｅＭＢＭＳブロードキャストサービスをサポートする第２のＭＢＳＦＮエリアを介する受信の一方にスイッチするための手段と
を備えるＵＥ。
［Ｃ１３］
前記少なくとも１つのＭＢＳＦＮ閾値は、
ＭＢＳＦＮ受信機信号受信電力（ＭＢＳＦＮ  ＲＳＲＰ）閾値、ＭＢＳＦＮ参照信号受信品質（ＭＢＳＦＮ  ＲＳＲＱ）閾値、ＭＢＳＦＮ  信号対干渉プラス雑音比（ＭＢＳＦＮ  ＳＩＮＲ）閾値、およびＭＢＭＳのマルチキャストチャネル（ＭＣＨ）ブロック誤り率（ＭＣＨ  ＢＬＥＲ）閾値の１つまたは複数を備え；
前記少なくとも１つのＭＢＳＦＮ測定値は、ＭＢＳＦＮ  ＲＳＲＰ測定値、ＭＢＳＦＮ  ＲＳＲＱ測定値、ＭＢＳＦＮ  ＳＩＮＲ測定値、およびＭＣＨ  ＢＬＥＲ測定値の１つまたは複数を備える、Ｃ１２に記載のＵＥ。
［Ｃ１４］
前記少なくとも１つのＭＢＳＦＮ閾値はスイッチング準備閾値を備えるとともに、前記第１のＭＢＳＦＮエリアからの前記ｅＭＢＭＳブロードキャストの受信からスイッチするための手段は、前記少なくとも１つのＭＢＳＦＮ測定値がスイッチング準備閾値を満たし、前記ＵＥがＲＲＣ  ＩＤＬＥ状態にあるときに、ＵＥにＲＲＣ  ＣＯＮＮＥＣＴＥＤ状態にスイッチするように構成されている、Ｃ１２に記載のＵＥ。
［Ｃ１５］
前記少なくとも１つのＭＢＳＦＮ閾値は、スイッチング開始閾値をさらに備え、前記第１のＭＢＳＦＮエリアからの前記ｅＭＢＭＳブロードキャストの受信からスイッチするための手段は、前記少なくとも１つのＭＢＳＦＮ測定値がスイッチング開始閾値を満たすときに、前記ネットワークのネットワーク要素から、ユニキャストチャネル上で前記関心のあるサービスの配信を要求して、それによってユニキャストを介する受信にスイッチするように構成されている、Ｃ１４に記載のＵＥ。
［Ｃ１６］
前記第１のＭＢＳＦＮエリアからの前記ｅＭＢＭＳブロードキャストの受信からスイッチするための手段は、
前記ｅＭＢＭＳブロードキャストサービスをサポートする前記第２のＭＦＳＦＮエリア内のネットワークから、前記ＵＥにおける十分なｅＭＢＭＳカバレージを検出し；
ユニキャストから、前記ｅＭＢＭＳブロードキャストサービスをサポートする前記第２のＭＢＳＦＮエリアを介するブロードキャスト受信へスイッチする
ようにさらに構成されている、Ｃ１４に記載のＵＥ。
［Ｃ１７］
前記第１のＭＢＳＦＮエリアからの前記ｅＭＢＭＳブロードキャストの受信からスイッチするための手段は、
第１のＭＢＳＦＮエリア内のサービングｅＮＢへ、前記関心のあるサービスに対応するＴＭＧＩを含むＭＢＭＳ関心指示（ＭＩＩ）と、前記関心のあるサービスに対応するサービスエリア識別子（ＳＡＩ）リストの少なくとも一方を送る
ここにおいて、前記ＵＥは、前記ＭＩＩと前記ＳＡＩリストの少なくとも一方に基づいて、前記ｅＭＢＭＳブロードキャストサービスをサポートするセルにハンドオーバされる、
ようにさらに構成されている、Ｃ１４に記載のＵＥ。
［Ｃ１８］
ユーザ機器（ＵＥ）において、発展型マルチメディアブロードキャストマルチキャストサービス（ｅＭＢＭＳ）ブロードキャストサービスおよびユニキャスト上で利用可能である、関心のあるサービスの受信の継続性を維持する方法において、
前記ｅＭＢＭＳブロードキャストサービスをサポートする第１のマルチキャストブロードキャスト単一周波数ネットワーク（ＭＢＳＦＮ）エリア内のネットワークの第１の基地局におけるＵＥから、少なくとも１つのパラメータを受信することと；
前記少なくとも１つのパラメータに基づいて、前記ＵＥが、前記第１のＭＢＳＦＮエリアからのｅＭＢＭＳブロードキャストの受信から、ユニキャストを介する受信へとスイッチすべきかどうかを決定することと；
ユニキャストを介する受信へとスイッチするように前記ＵＥに指示することと
を備える方法。
［Ｃ１９］
ユニキャストチャネル上で、前記関心のあるサービスに対応するコンテンツを送信することをさらに備える、Ｃ１８に記載の方法。
［Ｃ２０］
前記少なくとも１つのパラメータが、ＭＢＭＳ関心指示（ＭＩＩ）、計数応答、ＭＢＳＦＮ測定報告、およびユニキャスト測定報告の１つまたは複数を備える、Ｃ１８に記載の方法。
［Ｃ２１］
前記少なくとも１つのパラメータを送らせるように、前記ＵＥをトリガーする信号を送ることをさらに備える、Ｃ１８に記載の方法。
［Ｃ２２］
前記信号を送る前に、前記ＵＥが接続状態にあることを検出することをさらに備える、Ｃ２１に記載の方法。
［Ｃ２３］
前記ＵＥがスイッチすべきかどうかを決定することは、ＵＥが前記第１のＭＢＳＦＮエリアの前記境界にあるかどうかを検出することを備える、Ｃ１８に記載の方法。
［Ｃ２４］
前記少なくとも１つのパラメータを受信する前に、前記接続状態に入るように前記ＵＥをトリガーすることをさらに備える、Ｃ１８に記載の方法。
［Ｃ２５］
前記接続状態に入るように前記ＵＥをトリガーすることは、前記ＵＥに対して接続状態に入るように指示するシステム情報ブロック（ＳＩＢ）を送ること、前記ＵＥに対して係数要求を送ること、前記ＵＥ対して測定報告要求を送ること、前記ＵＥに対してページングメッセージを送ることの内の１つまたは複数を備える、Ｃ２４に記載の方法。
［Ｃ２６］
ユーザ機器（ＵＥ）において、発展型マルチメディアブロードキャストマルチキャストサービス（ｅＭＢＭＳ）ブロードキャストサービスおよびユニキャスト上で利用可能である、関心のあるサービスの受信の継続性を維持するための装置において、前記ｅＭＢＭＳブロードキャストサービスをサポートする第１のマルチキャストブロードキャスト単一周波数ネットワーク（ＭＢＳＦＮ）エリア内のネットワークの一部である装置であって、
前記ＵＥからの少なくとも１つのパラメータを受信するための手段と；
前記少なくとも１つのパラメータに基づいて、前記ＵＥが、前記第１のＭＢＳＦＮエリアからの前記ｅＭＢＭＳブロードキャストの受信から、ユニキャスト介する受信へスイッチすべきかどうかを決定するための手段と、
ユニキャストを介する受信にスイッチするようにＵＥに指示するための手段とを
を備える装置。
［Ｃ２７］
前記決定するための手段が、前記少なくとも１つのパラメータを送るように前記ＵＥをトリガーするための、信号を送るように構成されている、Ｃ２６に記載の装置。
［Ｃ２８］
前記決定するための手段が、前記信号を送る前に、前記ＵＥが接続状態にあることを検出するようにさらに構成されている、Ｃ２７に記載の装置。
［Ｃ２９］
前記決定するための手段が、前記ＵＥが前記第１のＭＢＳＦＮエリアの境界にあるかどうかを検出するように構成されている、Ｃ２６に記載の装置。
［Ｃ３０］
前記決定するための手段が、前記接続状態に入るように前記ＵＥをトリガーするように構成されている、Ｃ２６に記載の装置。